(57)【要約】【課題】  生ゴミを加熱して攪拌することで処理することが出来る生ゴミ処理装置であって、生ゴミ処理に伴い発生する臭いを遮断した消臭機能付き生ゴミ処理装置の提供。【解決手段】  装置本体１には生ゴミを収容する収容空間４を持つ容器３を有し、容器内部にはモーター６が回転することで生ゴミを攪拌する攪拌羽根５を備え、そして上記装置本体１の蓋２には熱風を容器へ送り込む為のヒーター１３とファン１４を取着し、そして、生ゴミ処理に際して発生する臭いを分解、消臭する触媒１７を設け、さらに消臭液２０をポンプ２１の作動で噴霧するノズル１８を取付けている。【選択図】    図３
2006061883.tif 000002
【特許請求の範囲】
【請求項１】
生ゴミを加熱して攪拌することで処理することが出来る生ゴミ処理装置において、装置本体には生ゴミを収容する収容空間を持つ容器を有し、容器内部にはモーターが回転することで生ゴミを攪拌する攪拌羽根を備え、そして上記装置本体の蓋には熱風を容器へ送り込む為のヒーターとファンを取着し、さらに、生ゴミ処理に際して発生する臭いを分解、消臭する触媒を設け、一方、消臭液をポンプの作動で噴霧するノズルを取付けたことを特徴とする消臭機能付き生ゴミ処理装置。
【請求項２】
蓋を開く為にロックを解除した際に、上記消臭液を噴霧するポンプが作動するように制御した請求項１記載の消臭機能を備えた生ゴミ処理装置。
【請求項３】
生ゴミを容器内部に保存している場合、上記ポンプが定期的に作動して消臭液を噴霧するように制御した請求項１、又は請求項２記載の消臭機能を備えた生ゴミ処理装置。
【請求項４】
上記消臭液を噴霧する制御手段としてマイコンを用いた請求項１、請求項２、又は請求項３記載の消臭機能を備えた生ゴミ処理装置。                                                                       
【発明の詳細な説明】
【技術分野】
【０００１】
本発明は主として家庭から出る生ゴミを処理する為の装置であって、消臭機能を備えたものである。
【背景技術】
【０００２】
近年、食品廃棄物再利用法が平成１３年５月から施行され、生ゴミは有機性資源とも食品循環資源とも呼ばれて排出事業者の責任によるリサイクル処理が義務付けられるようになっている。従って、家庭から出る生ゴミもポリ袋に入れて出す以外に、生ゴミ処理装置によって処理するケースも多く、今日では色々な生ゴミ処理装置が知られている。
【０００３】
生ゴミは容器に入れて攪拌されるが、その処理方法には、
(１)生ゴミを特殊な微生物等の作用を用いて醗酵処理し、その大部分を水と二酸化炭素とに分解してしまう消滅処理する方法。
(２)生ゴミを特殊な微生物等の作用を用いて醗酵・熟成処理し、その大部分を肥料や飼料に転換させる肥料・飼料化処理する方法。
そして上記消滅処理、又は肥料・飼料処理の区別は、使用される微生物の種類や組み合せの相違、或いは温度条件や攪拌のタイミング等によって定まる。
(３)微生物を使用しないで、生ゴミを攪拌しながら所定の高温に加熱・乾燥する方法で、その装置は高温に加熱した熱風を生ゴミが収容される容器へ送り込まれる構造と成っている。
【０００４】
ところで、従来においても生ゴミを処理して有機肥料に変える装置及び方法は多く知られている。例えば、特開平１０−１７４９５８号に係る「生ゴミ処理装置における脱臭方法及びその脱臭装置」は、生ゴミを微生物で分解し、処理したときに生じる臭いを有効に無くすことが出来るものである。すなわち、生ゴミを単に肥料などに処理するだけでなく、処理の際に発生する嫌な臭いを無くすように構成している。
【０００５】
特開２００３−２２０３７４号に係る「生ゴミ処理機」は、酸化触媒の温度変化により生ごみの種類を判別し、それに応じて制御を変えることで、様々なゴミに対応できる生ゴミ処理機であり、生ゴミの攪拌を行う攪拌手段と、収納容器内の空気の脱臭を行う酸化触媒と、酸化触媒を加熱する触媒加熱手段と、酸化触媒の温度を検出する触媒温度検出手段を有している。
【０００６】
特開２００３−１１７５２４号に係る「生ゴミ処理装置」は、生ゴミ分解時に発生する臭気を排気する際に、消臭剤を使用して排気することにより、脱臭装置コストをかけずに排気臭気の濃度、悪臭を低減させることができる生ゴミ処理装置である。液体の消臭剤を溜めたタンクを備え、このタンク内の液体の消臭剤を気化させて排気経路を流れる排気に混入させるようにしている。
【特許文献１】特開平１０−１７４９５８号に係る「生ゴミ処理装置における脱臭方法及びその脱臭装置」
【特許文献２】特開２００３−２２０３７４号に係る「生ゴミ処理機」
【特許文献３】特開２００３−１１７５２４号に係る「生ゴミ処理装置」
【発明の開示】
【発明が解決しようとする課題】
【０００７】
このように、生ゴミを処理するに際して必ず発生する臭いを出来る限り抑えることが生ゴミ処理装置を普及させる上で重要となり、従来においてもその対策は色々と施されている。特に生ゴミの臭いは、装置内に設けている触媒が処理温度に上昇するまでの時間と、処理後に蓋を開けた時に強く感じる。そこで、本発明は従来に存在しない消臭機能を備えて、生ゴミの臭いをほぼ完全に断ち切ることが出来る生ゴミ処理装置を提供する。
【課題を解決するための手段】
【０００８】
本発明に係る生ゴミ処理装置は装置本体と蓋から成り、装置本体には生ゴミを収容する容器が設けられ、該容器内には攪拌羽根を有している。攪拌羽根はモーターにて回転し、容器内の生ゴミを攪拌することが出来る。そして、蓋にはヒーターを備えて該ヒーターから発生する熱を容器内へ送り込む為のファンを取付けている。従って、生ゴミは攪拌されながら送り込まれる熱風で加熱される為に、水分は除去されて僅かな処理物が残るに過ぎない。
【０００９】
一方、装置には消臭用の触媒が設けられ、さらに別に消臭液を噴霧する機能を備えている。上記、触媒の具体的な種類は限定せず、該触媒は生ゴミを処理する際に発生する悪臭の大半を吸収することが出来る。そして、上記消臭液は触媒による消臭機能を補う為に容器から導かれ、ポンプを介してノズルから噴霧することが出来るように構成している。ここで、消臭液を噴霧するタイミングは蓋を開く前に噴霧するように制御し、又、生ゴミの処理物が容器内部にある時には、所定時間毎に消臭液を噴霧するように制御することが出来る。勿論、消臭液の噴霧制御は特に限定することはなく、噴霧する間隔の調整及び１回当りの噴霧する消臭液の量を生ゴミ量に応じて調整するなどの制御を行うことも可能である。
【発明の効果】
【００１０】
本発明に係る生ゴミ処理装置は、蓋を開けて容器内にゴミを入れ、スイッチをＯＮすれば攪拌羽根が回転し、同時に蓋から高温熱風が送られることで、生ゴミは高温下で攪拌されて処理され、処理物として僅かな肥料や土に成ってしまう。そして、この際、発生する臭いは装置内部の触媒にて大半は除去されるが、蓋を開けた際に臭いがしないように構成している。そこで、蓋を開く為にロックを解除することで、その解除操作をセンサーが感知してポンプが作動し、容器内に入っている消臭液を適量噴霧するように制御することが出来る。また、処理物が容器内にある時には一定時間毎に消臭液が噴霧されることで、生ゴミの悪臭をほぼ完全に断ち切ることが出来る。勿論、本発明は消臭液を噴霧する具体的な制御方法は限定しない。
【実施例】
【００１１】
図１は本発明に係る消臭機能を備えた生ゴミ処理装置を示す外観図である。同図の１は装置本体、２は蓋を表し、該蓋２は装置本体１の上部に取付けられて開閉することが出来る。図２は蓋２を開いた状態であり、ロックを解除して蓋２を開くならば、装置本体１に備えている容器３が現れる。容器３は収容空間４を有し、この収容空間４に生ゴミが入れられて蓋２を閉じた状態で処理される。同図の点線は主な機能部を表している。
【００１２】
図１の３は装置本体１に備わっている容器、６は容器内に設けている攪拌羽根の回転用モーター、１３はヒーターを示し、該ヒーター１３が加熱してファン１４にて熱風を容器３へ送り込むことが出来る。２１はポンプを表し、容器１９に入っている消臭液を噴霧ノズル１８から噴霧することが出来る。本体１に設けている容器１９から延びる柔軟な樹脂製チューブ２２の先端に上記噴霧ノズル１８が蓋側に取付けられている。
【００１３】
図３は上記生ゴミ処理装置の内部構造を示している具体例である。上記容器３内には攪拌羽根５が設けられて回転することが出来、その為に装置本体１にはモーター６が備えられ、該モーター軸に取着したプーリー７と攪拌羽根５の回転軸８の下端に取付けられているプーリー９にベルト１０が巻き掛けられている。そして、該ベルト１０が弛まないように、テンションローラー１１を備えてベルト１０を押圧している。
【００１４】
従って、モーター６が稼動することで上記攪拌羽根５が回転し、容器３に収容された生ゴミは攪拌される。ここで、攪拌羽根５の形態は色々あるが、容器内に収容された生ゴミが均一に攪拌され得る形状と成っている。しかも、攪拌羽根５は回転軸８を中心として水平面内で回転する訳であるが、生ゴミは上下方向にも動いて、全体が均一に攪拌される。
【００１５】
又、容器３の側面には固定羽根１２ａ，１２ｂ・・が取付けられ、攪拌羽根５の回転に伴って生ゴミの均一な攪拌をもたらす役目を果している。そして、蓋２の下側にはヒーター１３ａ，１３ｂが取付けられ、ヒーター１３ａ，１３ｂの上側にはファン１４が設けられている。ファン１４はモーター１５にて回転して、上記ヒーター１３ａ，１３ｂから発生した熱は該ファン１４によって容器内へ熱風として送り込まれる。
【００１６】
蓋２には内蓋１６が設けられ、熱風は内蓋１６を通過することが出来るようにメッシュ状に構成され、しかし容器内の生ゴミ及び処理後の乾燥肥料などが蓋側へ飛散しないように遮蔽機能を果たしている。そして、蓋２には白金触媒１７が備えられて、生ゴミ処理に際して発生する臭いを分解・消臭することが出来る。この白金触媒にて大部分の臭いを分解、消臭することは可能である。
【００１７】
一方、本発明では臭いを分解、消臭する白金触媒１７の他に噴霧ノズル１８を有し、該噴霧ノズル１８から別に消臭液が噴霧されるように成っている。装置本体１には容器１９に消臭液２０が収容され、この消臭液２０はポンプ２１により上記噴霧ノズル１８から噴霧することが出来る。容器３に収容された生ゴミは乾燥処理されるが、処理に際して発生する臭いは上記白金触媒１７によって分解、消臭されるために、蓋２を閉じている限りその臭いは殆どしない。
【００１８】
しかし、消臭が十分でない場合には、蓋２を開くと同時に臭いが外に流れ出て室内等に漂うことになる。そこで、該蓋２を開く為にロックを解除する際、ロック解除操作を感知して上記ポンプ２１が作動し、消臭液２０を噴霧ノズル１８から噴霧することができる。従って、蓋２を開いても生ゴミの臭いを感じることが無くなる。又、消臭液の噴霧は蓋２を開いた時に限らず、処理物が容器内部にある時には、定期的に消臭液を噴霧することが出来るように制御されている。
【００１９】
噴霧ノズル１８は蓋２に取付けられている内蓋１６の上側に位置し、該噴霧ノズル１８から噴霧した消臭液２０は霧状と成って内蓋１６を通過し、容器内部３へ侵入して臭いを消すことが出来る。ここで、容器１９から延びて先端に噴霧ノズル１８を取付けるチューブ２２はシリコン系の樹脂製であり、その為に蓋２の開閉操作には何ら支障がない。又、耐熱性のシリコン樹脂である為に、ヒーター１３ａ，１３ｂから発生する高熱にも耐え得る。
【００２０】
図４は生ゴミ処理装置の動作を示すフローチャートの具体例である。
生ゴミは蓋２を開いて容器３に入れられ、蓋２を閉じてスタートボタンをＯＮする。そこで、モーター６が稼動して攪拌羽根５が回転することで容器内の生ゴミは攪拌される。ここで、一定時間攪拌したところで消臭液２０を数回噴霧する。その後、引き続いて攪拌しながら熱風を送り込み、所定の湿度になるまで生ゴミの乾燥処理が行われる。
【００２１】
生ゴミの水分が一定以下に成って乾燥処理が完了したところで、自動的に消臭剤を噴霧する。その後、マイコンにて一定時間毎に消臭液が噴霧されるように制御している。すなわち、マイコンは乾燥処理が終了したことを確認し、定められた一定時間が経過したところで消臭液を噴霧するようにポンプ２１を動作する。そして、この噴霧回数をカウントし、定められた規定の回数に達したところで自動噴霧は停止する。勿論、フローチャートで示す消臭液２０の自動噴霧以外に、蓋２を開く際にも噴霧するように制御することは可能であり、噴霧する間隔の調整、１回当りの噴霧する消臭液の量を生ゴミ量に応じて調整するなどの制御を行うことが可能である。
【００２２】
ところで、臭いの主な成分は、硫化水素、トリメチルアミン、アンモニア、メチルメルカブタンであって、これらの臭い成分を無くす消臭液には色々あるが、例えば、日華化学株式会社(福井市文京４丁目２３番１号)の「クリーストＡＳ−３００」を使用することが出来る。
【図面の簡単な説明】
【００２３】
【図１】本発明に係る消臭機能付きゴミ処理装置の外観図。
【図２】蓋を開いた状態の消臭機能付きゴミ処理装置の外観図。
【図３】本発明に係る消臭機能付きゴミ処理装置の内部構造。
【図４】ゴミ処理装置の具体的動作を示すフローチャート。
【符号の説明】
【００２４】
１  装置本体
２  蓋
３  容器
４  収容空間
５  攪拌羽根
６  モーター
７  プーリー
８  回転軸
９  プーリー
10  ベルト
11  テンションローラー
12  固定羽根
13  ヒータ
14  ファン
15  モーター
16  内蓋
17  白金触媒
18  噴霧ノズル
19  容器
20  消臭液
21  ポンプ
22  チューブ
【図１】
2006061883.tif 000003
【図２】
2006061883.tif 000004
【図３】
2006061883.tif 000005
【図４】
2006061883.tif 000006